(57)【特許請求の範囲】
【請求項１】
カメラ部で撮影された画像を信号処理部で画像信号に変換して対応するミリ波受信ユニットに出力する複数のカメラユニットと、対応するカメラユニットからの画像信号をミリ波の無線で送信する複数のミリ波送信ユニットと、ミリ波送信ユニットから送信されたミリ波を受信して画像信号に変換して出力するミリ波受信ユニットと、録画部でミリ波受信ユニットからの画像信号を録画するかまたはモニター部でミリ波受信ユニットからの画像信号を表示する録画ユニットとを備えたカメラ録画装置において、ミリ波受信ユニットが複数のミリ波送信ユニットからの画像信号のうちで出力する画像信号を選択する切り替えスイッチを備えたことを特徴とするカメラ録画装置。
【請求項２】
ミリ波受信ユニットおよび録画ユニットを複数備えたことを特徴とする請求項１に記載のカメラ録画装置。
【請求項３】
カメラユニットとミリ波送信ユニットとミリ波受信ユニットと録画ユニットとが互いに別体で形成されたことを特徴とする請求項１に記載のカメラ録画装置。
【請求項４】
上記ミリ波送信ユニットの送信出力を制御し上記画像信号を送信する距離を可変する制御手段を設けたことを特徴とする請求項１に記載のカメラ録画装置。
【請求項５】
上記カメラユニットに画像信号を出力する出力端子を設けるとともに、上記ミリ波送信ユニットにこの画像信号を受信する入力端子を設け、上記出力端子と上記入力端子との機械的接続ができるようにしたことを特徴とする請求項１に記載のカメラ録画装置。
【請求項６】
上記ミリ波受信ユニットに画像信号を出力する出力端子を設けるとともに、上記録画ユニットにこの画像信号を受信する入力端子を設け、上記出力端子と上記入力端子との機械的接続ができるようにしたことを特徴とする請求項１に記載のカメラ録画装置。
【請求項７】
上記カメラユニットに画像信号を出力する出力端子を設けるとともに、上記録画ユニットにこの画像信号を受信する入力端子を設け、上記出力端子と上記入力端子との機械的接続ができるようにしたことを特徴とする請求項１に記載のカメラ録画装置。
【請求項８】
上記ミリ波受信ユニットの画像信号を汎用録画装置により録画するとともに、汎用モニターによりモニターできるようにしたことを特徴とする請求項１に記載のカメラ録画装置。
【発明の詳細な説明】
【０００１】
【発明の属する技術分野】
本発明は、カメラで画像を撮影し、ビデオテープ等の媒体に録画するカメラ録画装置に関するものである。
【０００２】
【従来の技術】
図１１は、例えば、ビデオカメラ等のカメラ一体型磁気記録再生装置の外観を示す斜視図であり、１ａは画像を撮影するレンズ等の撮影手段としてのカメラ部、１ｂはカメラ部１ａにより撮影した画像を画像信号にするＣＣＤ等の信号処理手段としての信号処理部、１ｃは信号処理部１ｂにより処理された画像信号を磁気記録化しビデオテープ等に録画する録画手段としての録画部、１ｄは録画部１ｃに録画される画像を撮影者が確認するモニター手段としてのモニター部、１は上記カメラ部１ａと，信号処理部１ｂと、録画部１ｃと、モニター部１ｄとより成るビデオカメラである。
【０００３】
図１２は、上記ビデオカメラ１の構成を示すブロック図であり、上記カメラ部１ａと、画像を画像信号にする信号処理部１ｂと、画像信号を録画する録画部１ｃと、録画する画像をみるモニター部１ｄである。
【０００４】
次に動作について図１２を用いて説明する。カメラ部１ａで撮影された画像及び図外のマイクロフォンで集音された音声は、信号処理部１ｂにより信号処理されて画像信号及び音声信号となる。この信号は録画部１ｃによりビデオテープ等の記録媒体に記録録画される。また、この録画状態はモニター部１ｄにより、撮影した画像を録画しながらリアルタイムで見ることが可能である。
【０００５】
【発明が解決しようとする課題】
従来のビデオカメラ１は上記のように画像を撮影するカメラ部１ａと画像を録画する録画部１ｃと撮影した画像を見るモニター部１ｄが一体で構成されているので、撮影する場所とモニターする場所及び録画する場所がすべて同じである必要があり、撮影する場所から離れた場所で撮影した画像を見たり、録画することが出来なかった。
また、撮影する場所から離れた場所で、ビデオカメラ１にテレビジョンとビデオテープレコーダーを接続ケーブルで接続し、撮影した画像を見たり、録画する場合は、ケーブルの接続が大変であり、撮影する範囲の限界が接続ケーブルの長さで決まっていた。
【０００６】
また、撮影する場所から離れた場所に撮影した画像をビデオカメラ１からテレビジョンとビデオテープレコーダーに送信する場合には、大容量である動画の送信は、マイクロ波を用いると、搬送波の周波数帯域が狭く、高速な伝送ができない。大気中での伝播損失が小さく、電波が直線的に伝播する直線性が低いので必要以上の距離まで動画を送信し、マルチパスによる妨害を受けやすい。
このマルチパスを図１３を用いて説明すると、１３は画像をマイクロ波で送信する送信装置、１４は送信装置１３から送信されたマイクロ波の直接波、１５は直接波１４を受信する受信装置、１６は送信装置１３から送信されたマイクロ波を反射する障害物、１７は障害物１６の下側で反射してから受信装置１５に届く反射波、１８は障害物１６の上側と左で反射してから受信装置１５に届く反射波である。
このような構成において、送信装置１３は画像をマイクロ波で送信し、送信された直接波１４は直接に受信装置１５に届き、反射波１７及び反射波１８はビルや壁等の障害物１６で反射してから受信装置１５に届く。受信装置１５は送信された直接波１４、反射波１７及び反射波１８を受信する。直接波１４と反射波１７及び反射波１８の位相が打ち消しあうときには、反射波１７及び１８は妨害波となり、この妨害波をマルチパスといい、撮影した画像を正確にみることができないことになる。
また、送信されるマイクロ波の波長は長いので送信装置１３、受信装置１５が大型となってしまう欠点があった。
【０００７】
本発明は上記問題点を解消するためになされたものであり、カメラと録画部及びモニター部が離れた状態で画像の録画やモニターができるカメラ録画装置を提供することを目的とする。
【０００８】
【課題を解決するための手段】
本発明の請求項１に記載のカメラ録画装置は、カメラ部で撮影された画像を信号処理部で画像信号に変換して対応するミリ波受信ユニットに出力する複数のカメラユニットと、対応するカメラユニットからの画像信号をミリ波の無線で送信する複数のミリ波送信ユニットと、ミリ波送信ユニットから送信されたミリ波を受信して画像信号に変換して出力するミリ波受信ユニットと、録画部でミリ波受信ユニットからの画像信号を録画するかまたはモニター部でミリ波受信ユニットからの画像信号を表示する録画ユニットとを備えたカメラ録画装置において、ミリ波受信ユニットが複数のミリ波送信ユニットからの画像信号のうちで出力する画像信号を選択する切り替えスイッチを備えたものである。
【０００９】
本発明の請求項２に記載のカメラ録画装置は、ミリ波受信ユニットおよび録画ユニットを複数備えたものである。
【００１０】
本発明の請求項３に記載のカメラ録画装置は、カメラユニットとミリ波送信ユニットとミリ波受信ユニットと録画ユニットとが互いに別体で形成されたものである。
【００１１】
本発明の請求項４に記載のカメラ録画装置は、上記ミリ波送信ユニットの送信出力を制御し上記画像信号を送信する距離を可変する制御手段を設けたものである。
【００１３】
本発明の請求項５に記載のカメラ録画装置は、上記カメラユニットに画像信号を出力する出力端子を設けるとともに、上記ミリ波送信ユニットにこの画像信号を受信する入力端子を設け、上記出力端子と上記入力端子との機械的接続ができるようにしたものである。
【００１４】
本発明の請求項６に記載のカメラ録画装置は、上記ミリ波受信ユニットに画像信号を出力する出力端子を設けるとともに、上記録画ユニットにこの画像信号を受信する入力端子を設け、上記出力端子と上記入力端子との機械的接続ができるようにしたものである。
【００１５】
本発明の請求項７に記載のカメラ録画装置は、上記カメラユニットに画像信号を出力する出力端子を設けるとともに、上記録画ユニットにこの画像信号を受信する入力端子を設け、上記出力端子と上記入力端子との機械的接続ができるようにしたものである。
【００１６】
本発明の請求項８に記載のカメラ録画装置は、上記ミリ波受信ユニットの画像信号を汎用録画装置により録画するとともに、汎用モニターによりモニターできるようにしたものである。
【００１７】
【発明の実施の形態】
以下、本発明の実施の形態について図面に基づき説明する。
【００１８】
実施の形態１．
図１及び図２は、本発明の実施の形態１に係わるカメラ録画装置の外観を示す斜視図であり、２ａは画像を撮影するレンズ等の撮影手段としてのカメラ部であり、その近傍に図外のマイクロフォンを有する。２ｂはカメラ部２ａにより撮影した画像とマイクロフォンで集音した音声を画像信号にするＣＣＤ等の信号処理手段としての信号処理部、２は上記カメラ部２ａと、信号処理部２ｂとより成り画像信号を出力する出力端子２ｘを設けたカメラユニット、３は上記カメラユニット２からの画像信号を入力する入力端子３ｘを設けこの画像信号をミリ波で送信する送信手段としてのミリ波送信ユニット、３ａはミリ波送信ユニット３のミリ波を送信するアンテナ、４ａはアンテナ３ａのミリ波を受信するアンテナ、４はアンテナ４ａのミリ波を受信する受信手段を設けミリ波から画像信号に変換しこの画像信号を出力する出力端子４ｘを設けたミリ波受信ユニット、５ａはミリ波受信ユニット４からの画像信号を入力する入力端子５ｘを設けこの画像信号を磁気記録化しビデオテープ等に録画する録画手段としての録画部、５ｂは録画部５ａに録画される画像を撮影者が確認するモニター手段としてのモニター部、５は入力端子５ｘを有する録画部５ａと、モニター部５ｂより成る録画ユニットである。上記出力端子２ｘ、４ｘと入力端子３ｘ、５ｘは、プラグを差込み端子に差込んで機械的に接続する方式のプラグイン接続構造のものである。
【００１９】
図２は、上記カメラ録画装置の構成を示すブロック図であり、２は上記カメラ部２ａと、信号処理部２ｂとより成り画像信号を出力する出力端子２ｘを設けたカメラユニット、３は画像信号を入力する入力端子３ｘを設けこの画像信号を送信するミリ波送信ユニット、４はミリ波送信ユニット３の画像信号をスーパーヘテロダイン方式等で受信しこの画像信号を出力する出力端子４ｘを設けたミリ波受信ユニット、５ａはミリ波受信ユニット４からの画像信号を入力する入力端子５ｘを設けこの画像信号を録画する録画部、５ｂは録画部５ａに録画される画像を撮影者が見るモニター部、５は録画部５ａと、モニター部５ｂより成る録画ユニットである。
【００２０】
スーパーヘテロダイン方式とは、例えば、ＡＭラジオ等に用いられ、送受信の周波数ｆｒと、その周波数ｆｒとは異なる周波数の局部発振周波数ｆｌとを混合させて唸りを生じさせ中間周波数ＩＦに変換し、これを増幅してから復調する方式であり、増幅度を高めることができるとともに、選択性も高まるので、混信を減少させることができる。
【００２１】
図３は、上記ミリ波送信ユニット３の内部構成を示すブロック図であり、３ｂは上記カメラ２からの画像信号、３ｃは画像信号３ｂを中間周波数ＩＦに乗せて変調する変調手段としての変調器、３ｄは変調器３ｃへマイクロ波帯の中間周波数ＩＦを発信するＩＦ発信手段、３ｅは変調器３ｃの出力を増幅するハイパワーアンプ、３ｆは上記ハイパワーアンプ３ｅの出力とミリ波帯の周波数とを混合しミリ波帯の周波数ｆｒへ変換するミキサー回路、３ｇはミキサー回路３ｆへミリ波帯の周波数を発信するミリ波発信手段、３ｈはミキサー回路３ｆの出力から必要な帯域を取り出すバンドパスフィルター回路、３ｉはバンドパスフィルター回路３ｈの出力を増幅しミリ波を送信するハイパワーアンプ、３ｊはハイパワーアンプ３ｉの増幅度を制御しこの制御によりミリ波を送信する距離を可変できるパワーコントローラーであり、このミリ波をアンテナ３ａから送信する周波数ｆｒで送信する。
【００２２】
図４は、上記ミリ波受信ユニット４の内部構成を示すブロック図であり、４ｂはアンテナ４ａで受信したミリ波を増幅するアンプ、４ｃはアンプ４ｂの出力から必要な帯域を取り出すバンドパスフィルター回路、４ｄはバンドパスフィルター回路４ｃの出力の受信した周波数ｆｒとミリ波の局部発信周波数ｆｌとを混合し唸らせることでマイクロ波帯の中間周波数ＩＦを取り出すミキサー回路、４ｅはミキサー回路４ｄへミリ波帯の局部発振周波数ｆｌを発信するミリ波発信手段、４ｆはミキサー回路４ｄの中間周波数ＩＦから必要な帯域を取り出すバンドパスフィルター回路、４ｇはバンドパスフィルター回路４ｆのマイクロ波帯の中間周波数ＩＦを増幅するＩＦアンプ、４ｈはＩＦアンプ４ｇの中間周波数ＩＦから画像信号３ｂを復調する復調手段としての復調器である。
【００２３】
上記変調器３ｃの変調方式、復調器４ｈの復調方式には、振幅変調、周波数変調、位相変調、振幅位相変調を用いても良い。また、画像信号３ｂをアナログ信号又は、デジタル信号としてもよく、このデジタル信号を圧縮して変調、復調するようにしてもよい。
【００２４】
次に、動作について図１を用いて説明する。図１において、撮影したい画像をカメラユニット２のカメラ部２ａから撮影すると、この画像は、信号処理部２ｂにより画像信号３ｂに変換される。画像信号３ｂはカメラユニット２の出力端子２ｘからミリ波送信ユニット３の入力端子３ｘを介してミリ波送信ユニット３に入力される。画像信号３ｂはミリ波送信ユニット３でミリ波に変調され、ミリ波送信ユニット３で送信する距離を制御して、アンテナ３ａから送信される。アンテナ４ａでミリ波が受信され、ミリ波受信ユニット４はミリ波から画像信号３ｂとして復調される。画像信号３ｂはミリ波受信ユニット４の出力端子４ｘから録画ユニット５の入力端子５ｘを介して録画ユニット５に入力される。録画ユニット５の録画部５ａで画像信号３ｂを録画し、モニター部５ｂから録画する画像が確認される。
【００２５】
次に、ミリ波送信ユニット３の画像信号３ｂをミリ波で送信するときの動作について図３を用いて説明する。
カメラユニット２からの画像信号３ｂは変調手段３ｃで中間周波数ＩＦに変調され、ハイパワーアンプ３ｅで増幅される。中間周波数ＩＦに変調された画像信号３ｂはミキサー回路３ｆでミリ波に変換され、このミリ波の不要な帯域はバンドパスフィルター回路３ｈで遮断される。パワーコントローラー３ｊでハイパワーアンプ３ｉの増幅度を制御し、ミリ波をハイパワーアンプ３ｉで増幅され、アンテナ３ａから送信される。送信出力はハイパワーアンプ３ｉの増幅度に比例するので、パワーコントローラー３ｊから制御することができる。送信出力は送信する距離に比例するため、送信出力を小さくすれば、必要な範囲のみにミリ波を送信することができる。
【００２６】
次に、ミリ波受信ユニットの画像信号３ｂをミリ波で受信するときの動作について図４を用いて説明する。
アンテナ４ａでミリ波が受信され、アンプ４ｂで増幅されバンドパスフィルター回路４ｃで不要な帯域が遮断される。ミキサー回路４ｄで受信したミリ波と局部発振周波数ｆｌは混合され、マイクロ波帯の画像信号３ｂが変調された中間周波数ＩＦが取り出される。中間周波数ＩＦはＢＰＦ４ｆで不要な帯域が遮断され、ＩＦアンプ４ｇで増幅される。中間周波数ＩＦから復調手段４ｈで画像信号３ｂが復調される。復調された画像信号３ｂは録画ユニット５に出力され、録画部５ａに録画され、モニター部５ｂで画像を確認できる。
【００２７】
このように、カメラユニット２で撮影した画像はミリ波送信ユニット３によりミリ波で送信され、ミリ波受信ユニット４で受信され、録画部５の録画部５ａに録画されるので、モニター部５ｂでこの画像を確認できるので撮影した場所と離れた所で録画し、モニターすることができる。
また、送信にミリ波を用いたので、大気中での伝播損失が大きく、直線性が高いので、マルチパスの影響に強く必要な所だけに画像を送信することができる。また、送信出力を制御するようにしたので、画像を送信する距離を可変することができる。
また、ミリ波の波長は短いので、送信装置１３と受信装置１５を小さくすることができる。
【００２８】
実施の形態２．
上記実施の形態１では、カメラユニット２とミリ波送信ユニット３が接続され、ミリ波受信ユニット４と録画ユニット５が接続された場合について説明したが、この実施の形態２では、図５に示すように、カメラユニット２の出力端子２ｘとミリ波送信ユニット３の入力端子３ｘを接続ケーブル６で接続し、ミリ波受信ユニット４の出力端子４ｘと録画ユニット５の受信端子５ｘを接続ケーブル７で接続して上記実施の形態１と同様な構成をとりカメラ録画装置を構成し、上記実施の形態１に示した基本的な動作を行うことで撮影した場所と離れた所で録画し、モニターすることができる。これによれば、各々のユニットを所定の長さのケーブルを用いることで、このケーブルの長さ分だけ更に小さな単位で隔離することが可能である。
【００２９】
実施の形態３．
上記実施の形態１では、カメラユニット２とミリ波送信ユニット３が接続され、ミリ波受信ユニット４と録画ユニット５が接続された場合について説明したが、この実施の形態３では、図６、図７に示すように、カメラユニット２のプラグの出力端子２ｘと録画ユニット５の差込み式の入力端子５ｘをプラグイン方式で機械的に接続し、カメラユニット２で撮影した画像を直接録画ユニット５に出力して、ここで録画し、モニターするように構成しカメラ録画装置を構成することで、撮影した画像を録画しながらモニターすることができる。
【００３０】
この実施の形態３では、図７に示すように、カメラユニット２のカメラ部２ａで画像を撮影し、信号処理部２ｂで画像信号３ｂに変換する。この画像信号３ｂを録画ユニット５の録画部５ａに入力するように、カメラユニット２の出力端子２ｘと録画ユニット５の入力端子５ｘを差込んで機械的に接続し、録画部５ａで画像信号を録画し、モニター部５ｂで撮影した画像を確認する。すなわち出力端子２ｘのプラグを入力端子５ｘのプラグ差込み口に差込んで接続するようにプラグインの接続としたものである。上記のように構成することで必要時に簡単にカメラユニット２と録画ユニット５とを結合でき、従来のビデオカメラのように撮影した画像を録画しながらモニターすることができる。
【００３１】
実施の形態４．
上記実施の形態１では、録画ユニット５に撮影した画像を録画し、モニターする場合について説明したが、この実施の形態４の構成を説明すると、図８に示すように、画像信号３ｂを受信するミリ波受信ユニット４の出力端子４ｘとこの画像信号３ｂを録画する汎用録画装置としてのビデオテープレコーダ８の入力端子を接続ケーブル９で接続し、上記ビデオテープレコーダ８とこの画像を見ることのできる汎用モニターとしてのテレビジョン１０を接続ケーブル１１で接続した構成である。
【００３２】
動作を説明すると、カメラ２で撮影した画像信号３ｂはミリ波送信ユニット３で送信され、この画像信号３ｂはミリ波受信ユニット４で受信される。この画像信号３ｂがビデオテープレコーダ８に録画され、テレビジョン１０でモニターされる。ミリ波送信ユニット３と、ミリ波受信ユニット４の動作は、上記実施の形態１に示した基本的な動作を行うことで、撮影した場所と離れた所で録画され、大きな画面でモニターされることになる。本例では、汎用機器を用いて録画、再生が可能となる。
【００３３】
実施の形態５．
上記実施の形態４では、一つのカメラユニット２で撮影した画像をビデオテープレコーダ８に録画する場合について説明したが、この実施の形態５の構成を説明すると、図９に示すように、複数のカメラユニット２、カメラユニット２α、カメラユニット２βで撮影した画像をそれぞれのミリ波送信ユニット３、３α、３βからミリ波で送信し、一つのミリ波受信ユニット４で受信し、撮影した画像を選択する切り替えスイッチ４ｓで画像を選択し、ミリ波受信ユニット４に接続ケーブル９で接続されたビデオテープレコーダ８にこの画像を録画し、ビデオテープレコーダ８に接続ケーブル１１で接続されたテレビジョン１０でこの画像を見るように構成してある。
【００３４】
動作を説明すると、カメラユニット２、２α、２βと、ミリ波送信ユニット３、３α、３βと、ミリ波受信ユニット４の動作は、上記実施の形態１に示した基本的な動作を行い、画像を撮影して送信する。この画像を切り替えスイッチ４ｓで選択し、ビデオテープレコーダ８に録画し、汎用のテレビジョン１０で見ることで、撮影した場所と離れた所で複数のカメラで撮影した画像を選択して録画し、汎用の大きなモニター画面でモニターすることができる。
【００３５】
上記切り替えスイッチ４ｓの説明をすると、上記ミリ波送信ユニット３の送信する周波数ｆｒと、ミリ波送信ユニット３αの送信する周波数ｆｒαと、ミリ波送信ユニット３βの送信する周波数ｆｒβが異なるようにそれぞれのミリ波発信手段３ｇ、３ｇα、３ｇβの発振周波数を設定する。この信号を受信するためにミリ波受信ユニット４で受信する周波数のｆｒ、ｆｒα、ｆｒβを切り替えるように切り替えスイッチ４ｓを設け、ミリ波発信手段４ｅのミリ波帯の局部発振周波数ｆｌを可変させて受信する周波数ｆｒ、ｆｒα、ｆｒβを切り替えることで、撮影した画像を選択して録画し、モニターすることができる。
【００３６】
また、上記切り替えスイッチ４ｓを有することで、どのカメラで撮影したかを識別するヘッダー信号をそれぞれの画像信号３ｂ、３ｂα、３ｂβのはじめにそれぞれの変調器３ｃ、３ｃα、３ｃβで追加して送信し、このヘッダー信号に対となるコード信号を切り替えスイッチ４ｓで選択し、このコード信号とヘッダー信号を復調器４ｈで比較して、一致した画像信号のみを復調するようにして、上記切り替えスイッチ４ｓで復調する画像信号３ｂ、３ｂα、３ｂβを選択することで、撮影した画像を選択するようにしてもよい。
【００３７】
また、複数のカメラユニット２、２α、２βで撮影した映像を、それぞれの送信ユニット３、３α、３βで送信し、上記スイッチ４ｓを備えた複数の受信ユニット４、４α、４βで受信して、撮影した画像をそれぞれで選択するようにしてもよい。この場合、３つ以上のカメラユニット２で撮影してもよい。
【００３８】
実施の形態６．
上記実施の形態５では、複数のカメラユニット２、カメラユニット２α、ユニットカメラ２βで撮影した画像を一つのミリ波受信ユニット４で選択して受信する場合について説明したが、この実施の形態６では、図１０に示すように、一つのカメラユニット２で撮影した画像をミリ波送信ユニット３から送信し、複数のミリ波受信ユニット４、４α、４βで受信し、それぞれに接続ケーブル１２、１２α、１２βで接続されたテレビジョン１０、１０α、１０βでモニターするように構成し上記実施の形態１に示した基本的な動作を行うことで、複数の画面でモニターすることができる。
この場合、複数のビデオテープレコーダ８で録画するようにしてもよい。
【００３９】
【発明の効果】
以上説明したように、請求項１に記載の発明によれば、カメラ部で撮影された画像を信号処理部で画像信号に変換して対応するミリ波受信ユニットに出力する複数のカメラユニットと、対応するカメラユニットからの画像信号をミリ波の無線で送信する複数のミリ波送信ユニットと、ミリ波送信ユニットから送信されたミリ波を受信して画像信号に変換して出力するミリ波受信ユニットと、録画部でミリ波受信ユニットからの画像信号を録画するかまたはモニター部でミリ波受信ユニットからの画像信号を表示する録画ユニットとを備えたカメラ録画装置において、ミリ波受信ユニットが複数のミリ波送信ユニットからの画像信号のうちで出力する画像信号を選択する切り替えスイッチを備えたので、撮影する場所から離れた場所で撮影した画像を見たり、録画することができるとともに、送信にミリ波を用いたので、大気中での伝播損失が大きく、直線性が高いので、マルチパスの影響に強く、必要な所だけに画像を送信することができるとともに、受信側で撮影した画像を選択し、切り替えてモニターしたり、録画することができる。
【００４０】
また、請求項２に記載の発明によれば、ミリ波受信ユニットおよび録画ユニットを複数備えたので、複数のミリ波受信ユニットで受信した画像を各々で切り替えてモニターしたり、録画することができる。
【００４１】
また、請求項３に記載の発明によれば、カメラユニットとミリ波送信ユニットとミリ波受信ユニットと録画ユニットとが互いに別体で形成されたので、必要時に簡単にカメラユニットと録画ユニットとを結合でき、従来のビデオカメラのように撮影した画像を録画しながらモニターすることができる。
【００４２】
また、請求項４に記載の発明によれば、上記ミリ波送信ユニットの送信出力を制御し上記画像信号を送信する距離を可変する制御手段を設けたので、不要な範囲にミリ波を送信せずに画像を送信する距離を可変することができる。
【００４４】
また、請求項５に記載の発明によれば、上記カメラユニットに画像信号を出力する出力端子を設けるとともに、上記ミリ波送信ユニットにこの画像信号を受信する入力端子を設け、上記出力端子と上記入力端子との機械的接続ができるようにしたので、必要時に簡単にカメラユニットとミリ波送信ユニットとを結合できる。
【００４５】
また、請求項６に記載の発明によれば、上記ミリ波受信ユニットに画像信号を出力する出力端子を設けるとともに、上記録画ユニットにこの画像信号を受信する入力端子を設け、上記出力端子と上記入力端子との機械的接続ができるようにしたので、必要時に簡単にミリ波受信ユニットと録画ユニットとを結合できる。
【００４６】
また、請求項７に記載の発明によれば、上記カメラユニットに画像信号を出力する出力端子を設けるとともに、上記録画ユニットにこの画像信号を受信する入力端子を設け、上記出力端子と上記入力端子との機械的接続ができるようにしたので、必要時に簡単にカメラユニットと録画ユニットとを結合でき、撮影した画像を録画しながらモニターすることができる。
【００４７】
また、請求項８に記載の発明によれば、上記ミリ波受信ユニットの画像信号を汎用録画装置により録画するとともに、汎用モニターによりモニターできるようにしたので、録画時間の延長や大きな画面でのモニターが可能となると共に、既存の製品に接続することでコストの削減をすることができる。
【図面の簡単な説明】
【図１】本発明の実施の形態１に係わるカメラ録画装置の外観を示す斜視図である。
【図２】実施の形態１に係わるカメラ録画装置の構成を示すブロック図である。
【図３】実施の形態１に係わるミリ波送信ユニットの構成を示すブロック図である。
【図４】実施の形態１に係わるミリ波受信ユニットの構成を示すブロック図である。
【図５】実施の形態２に係わるカメラ録画装置の外観を示す斜視図である。
【図６】実施の形態３に係わるカメラ録画装置の外観を示す斜視図である。
【図７】実施の形態３に係わるカメラ録画装置の構成を示すブロック図である。
【図８】実施の形態４に係わるカメラ録画装置の外観を示す斜視図である。
【図９】実施の形態５に係わるカメラ録画装置の外観を示す斜視図である。
【図１０】実施の形態６に係わるカメラ録画装置の外観を示す斜視図である。
【図１１】従来のビデオカメラ録画装置の外観を示す斜視図である。
【図１２】従来のビデオカメラ録画装置の構成を示すブロック図である。
【図１３】マルチパスを説明する説明図である。
【符号の説明】
１  ビデオカメラ、１ａ  カメラ部、１ｂ  信号処理部、１ｃ  録画部、
１ｄ  モニター部、２  カメラ、２ａ  カメラ部、２ｂ  信号処理部、３  ミリ波送信ユニット、３ｂ  画像信号、３ｉ  ハイパワーアンプ、３ｊ  パワーコントローラー、４  ミリ波受信ユニット、４ｓ  切り替えスイッチ、５  録画ユニット、５ａ  録画部、５ｂ  モニター部、８  ビデオテープレコーダ、１０  テレビジョン。
【図１】
0003540616.tif 000002
【図２】
0003540616.tif 000003
【図３】
0003540616.tif 000004
【図４】
0003540616.tif 000005
【図５】
0003540616.tif 000006
【図６】
0003540616.tif 000007
【図７】
0003540616.tif 000008
【図８】
0003540616.tif 000009
【図９】
0003540616.tif 000010
【図１０】
0003540616.tif 000011
【図１１】
0003540616.tif 000012
【図１２】
0003540616.tif 000013
【図１３】
0003540616.tif 000014